(57)【要約】【課題】キーボードを表示させて入力支援を行う際に、当該キーボードの操作性を向上させることを可能にする。【解決手段】第一格納部９および第二格納部１０は、前記キーボードを構成するキーのうち所定のキーについてはそれぞれ通常のキー表示および通常のキー表示とは異なる特殊キー表示のための表示用データを格納し、表示制御部８は、前記所定のキーについては、特殊キー表示のための表示用データを取り出して、他のキーについて通常のキー表示のための表示用データを取り出して、表示部７に送り、表示部７では、これら表示用データから構成されるキーボードを表示する。【選択図】  図１
2004364214.tif 000002
【特許請求の範囲】
【請求項１】
画像データを入力するための画像入力部と、
前記画像入力部で入力された画像データを画像処理するための画像処理部と、
入力を支援するためのキーボードを表示するとともに、当該キーボードを操作して処理条件を設定入力するための操作表示部と、
前記操作表示部での入力にしたがって各部の動作を制御する制御部と、
前記操作表示部に表示させるキーボードを構成する各キーについて表示用データを格納する格納部と、
前記格納部から表示用データを取り出すとともに、取り出した表示用データを前記操作表示部に送る表示制御部と
を有し、
前記格納部は、前記キーボードを構成するキーのうち所定のキーについては通常のキー表示およびこの通常のキー表示とは異なる特殊キー表示のための表示用データを格納し、
前記表示制御部は、前記所定のキーについては、特殊キー表示のための表示用データを取り出して、他のキーについて通常のキー表示のための表示用データを取り出して、前記操作表示部に送り、
前記操作表示部では、これら表示用データから構成されるキーボードを表示することを特徴とする画像形成装置。
【請求項２】
前記格納部は、前記所定のキーについて、通常のキー表示を行うか、特殊キー表示を行うかの指定を促す入力画面を構成するための表示用データを格納し、
前記表示制御部は、この表示用データを前記操作表示部に送り、当該操作表示部にて表示させるとともに、前記所定のキーについては、前記操作表示部にて前記入力画面に従って指定入力のあった方の表示用データを取り出し、当該操作表示部にて表示されるキーボードに特殊キー表示させることを特徴とする請求項１に記載の画像形成装置。
【請求項３】
前記特殊キー表示は、通常のキー表示とは異なった色で表示されるものであることを特徴とする請求項１または２に記載の画像形成装置。
【請求項４】
前記特殊キー表示は、通常のキー表示とは異なった形状で表示されるものであることを特徴とする請求項１または２に記載の画像形成装置。
【請求項５】
前記格納部は、通常のキー表示のための表示用データを格納するための第一格納部と、特殊キー表示のための表示用データを格納するための第二格納部とからなることを特徴とする請求項１に記載の画像形成装置。
【請求項６】
入力を支援するためのキーボードを表示するとともに、当該キーボードを操作して処理条件を設定入力するための表示部と、
前記表示部に表示させるキーボードを構成する各キーについて表示用データを格納する格納部と、
前記格納部から表示用データを取り出すとともに、取り出した表示用データを前記表示部に送る表示制御部と
を有し、
前記格納部は、前記キーボードを構成するキーのうち所定のキーについては通常のキー表示およびこの通常のキー表示とは異なる特殊キー表示のための表示用データを格納し、
前記表示制御部は、前記所定のキーについては、特殊キー表示のための表示用データを取り出して、他のキーについて通常のキー表示のための表示用データを取り出して、前記表示部に送り、
前記表示部では、これら表示用データから構成されるキーボードを表示することを特徴とする表示装置。
【請求項７】
前記格納部は、前記所定のキーについて、通常のキー表示を行うか、特殊キー表示を行うかの指定を促す入力画面を構成するための表示用データを格納し、
前記表示制御部は、この表示用データを前記表示部に送り、当該表示部にて表示させるとともに、前記所定のキーについては、前記表示部にて前記入力画面に従って指定入力のあった方の表示用データを取り出し、当該表示部にて表示されるキーボードに特殊キー表示させることを特徴とする請求項６に記載の表示装置。
【請求項８】
前記特殊キー表示は、通常のキー表示とは異なった色で表示されるものであることを特徴とする請求項６または７に記載の表示装置。
【請求項９】
前記特殊キー表示は、通常のキー表示とは異なった形状で表示されるものであることを特徴とする請求項６または７に記載の表示装置。
【請求項１０】
前記格納部は、通常のキー表示のための表示用データを格納するための第一格納部と、特殊キー表示のための表示用データを格納するための第二格納部とからなることを特徴とする請求項６に記載の表示装置。
【発明の詳細な説明】
【０００１】
【発明の属する技術分野】
本発明は、画像形成装置、特に入力を支援する表示を行う表示部を操作部として用いる画像形成装置、およびこの画像形成装置に好適に使用される表示装置に関する。
【０００２】
【従来の技術】
通常、ファックス機能、プリンタ機能、複写機能などを備えた複合機としての画像形成装置にて読み込んだ画像データや外部装置から送られた画像データを他の外部装置に送信する場合において、この送信先や画像データを特定するためのファイル名などの識別データを入力する必要がある。
【０００３】
この入力を行うための入力部であるタッチパネル形式の表示部にキーボードの画像を表示させて、使用者にこのキーボード画像を用いて操作させるようにして入力支援を行っている。
【０００４】
また、特許文献１には、多数ある機能を設定するための入力キーの中から、使用頻度の高い入力キーを使用者が使いやすいように配置を変更する操作部を設けることで入力支援を行う画像形成装置が開示されている（段落［００３４］〜［００３５］、［００８３］）。
【０００５】
また、特許文献２には、複合機である画像形成装置に備えられた各機能用のメモリの残量を表示するのに、特定のメモリ残量について、表示形態、表示位置などを変更させることで、使用者の注意のひきつけるようにした表示部を設けることで入力支援を行う画像形成装置が開示されている（段落［００７４］〜［００７５］）。
【０００６】
【特許文献１】
特開２００２−２３５６６号公報
【特許文献２】
特開平１０−１９０９１８号公報
【０００７】
【発明が解決しようとする課題】
ところで、近年、画像形成装置の表示部に表示させたキーボードを用いて所定の入力を行う場合、平面に配列されたキーが見にくいことが多いため、操作性が悪かった。
【０００８】
特許文献１，２には、特定の入力キーの表示位置や特定の表示内容の表示形式を変更して操作性を向上させることについては開示されているが、汎用性の高い入力キーからなるキーボードの操作性を向上させることについては開示されていない。
【０００９】
そこで、本発明は上述した実情に鑑みてなされたものであり、キーボードを表示させて入力支援を行う際に、当該キーボードの操作性を向上させることを可能にする画像形成装置、およびこの画像形成装置に好適に使用される表示装置を提要することを目的としている。
【００１０】
【課題を解決するための手段】
以上の課題を解決するため、請求項１に記載の発明に係る画像形成装置は、画像データを入力するための画像入力部と、
前記画像入力部で入力された画像データを画像処理するための画像処理部と、
入力を支援するためのキーボードを表示するとともに、当該キーボードを操作して処理条件を設定入力するための操作表示部と、
前記操作表示部での入力にしたがって各部の動作を制御する制御部と、
前記操作表示部に表示させるキーボードを構成する各キーについて表示用データを格納する格納部と、
前記格納部から表示用データを取り出すとともに、取り出した表示用データを前記操作表示部に送る表示制御部と
を有し、
前記格納部は、前記キーボードを構成するキーのうち所定のキーについては通常のキー表示およびこの通常のキー表示とは異なる特殊キー表示のための表示用データを格納し、
前記表示制御部は、前記所定のキーについては、特殊キー表示のための表示用データを取り出して、他のキーについて通常のキー表示のための表示用データを取り出して、前記操作表示部に送り、
前記操作表示部では、これら表示用データから構成されるキーボードを表示することを特徴としている。
【００１１】
請求項１に記載の発明によれば、画像入力部から送られる画像データに対して、画像処理部にて画像形成のための処理がなされる。
制御部では、画像入力部、画像処理部、表示制御部など画像形成装置の各構成の動作を制御する。例えば、操作表示部で入力された情報にしたがって、画像入力部を動作させて入力画像データを取り込ませて、この画像入力部にて取り込んだ入力画像データを画像処理部に送って画像処理を制御する。
【００１２】
また、操作表示部では、表示制御部により格納部から取り出された表示用データが送られ、各表示用データに対応するキーから構成されるキーボードが描画される。
【００１３】
このキーボードは、所定のキーが特殊表示されたものであり、操作表示部の操作の際に、使用者はこの特殊表示されたキーを基準にキーボード全体のキー配列を把握することができる。
使用者は、操作表示部にて表示されているキーボードを操作して、所定の情報の入力を行う。
【００１４】
このように操作表示部において、特定のキーを特殊表示したキーボードを表示させて入力支援を行うことで、キー配列の把握が容易になるため、キーボードの操作性も向上する。
【００１５】
請求項２に記載の発明は、前記格納部は、前記所定のキーについて、通常のキー表示を行うか、特殊キー表示を行うかの指定を促す入力画面を構成するための表示用データを格納し、
前記表示制御部は、この表示用データを前記操作表示部に送り、当該操作表示部にて表示させるとともに、前記所定のキーについては、前記操作表示部にて前記入力画面に従って指定入力のあった方の表示用データを取り出し、当該操作表示部にて表示されるキーボードに特殊キー表示させることを特徴としている。
【００１６】
請求項２に記載の発明によれば、操作表示部に入力画面を表示部させて、この入力画面にしたがって使用者にキーボードの所定のキーの特殊キー表示を行うのか、あるいは全部のキーを通常のキー表示とするのかを選択させることが可能になる。
【００１７】
請求項３に記載の発明は、前記特殊キー表示は、通常のキー表示とは異なった色で表示されるものであることを特徴としている。
請求項３に記載の発明によれば、特殊表示として、特定のキーを異なった色で表示させることで、使用者は操作表示部に表示されたキーボードのキー配列を把握することが容易になり、キーボードの操作性も向上する。
【００１８】
請求項４に記載の発明は、前記特殊キー表示は、通常のキー表示とは異なった形状で表示されるものであることを特徴としている。
請求項４に記載の発明によれば、特殊表示として、特定のキーを異なった形状で表示させることで、使用者は操作表示部に表示されたキーボードのキー配列を把握することが容易になり、キーボードの操作性も向上する。
【００１９】
請求項５に記載の発明は、前記格納部は、通常のキー表示のための表示用データを格納するための第一格納部と、特殊キー表示のための表示用データを格納するための第二格納部とからなることを特徴としている。
請求項５に記載の発明によれば、特殊キー表示のための表示用データと、通常のキー表示のための表示用データとを別々の格納部に格納しておくことで、各表示用データの管理が容易になる。例えば、特殊キー表示を変更したり、追加したりといった設計変更が容易になる。
【００２０】
請求項６に記載の発明に係る表示装置は、入力を支援するためのキーボードを表示するとともに、当該キーボードを操作して処理条件を設定入力するための表示部と、
前記表示部に表示させるキーボードを構成する各キーについて表示用データを格納する格納部と、
前記格納部から表示用データを取り出すとともに、取り出した表示用データを前記表示部に送る表示制御部と
を有し、
前記格納部は、前記キーボードを構成するキーのうち所定のキーについては通常のキー表示およびこの通常のキー表示とは異なる特殊キー表示のための表示用データを格納し、
前記表示制御部は、前記所定のキーについては、特殊キー表示のための表示用データを取り出して、他のキーについて通常のキー表示のための表示用データを取り出して、前記表示部に送り、
前記表示部では、これら表示用データから構成されるキーボードを表示することを特徴としている。
【００２１】
請求項６に記載の発明によれば、表示部では、表示制御部により格納部から取り出された表示用データが送られ、各表示用データに対応するキーから構成されるキーボードが描画される。
【００２２】
このキーボードは、所定のキーが特殊表示されたものであり、表示部の操作の際に、使用者はこの特殊表示されたキーを基準にキーボード全体のキー配列を把握することができる。
また、使用者に表示部にて表示されているキーボードを操作させて、所定の情報の入力を行わせるようになっている。
【００２３】
このように表示部において、特定のキーを特殊表示したキーボードを表示させて入力支援を行うことで、キー配列の把握が容易になるため、キーボードの操作性も向上する。
【００２４】
請求項７に記載の発明は、前記格納部は、前記所定のキーについて、通常のキー表示を行うか、特殊キー表示を行うかの指定を促す入力画面を構成するための表示用データを格納し、
前記表示制御部は、この表示用データを前記表示部に送り、当該表示部にて表示させるとともに、前記所定のキーについては、前記表示部にて前記入力画面に従って指定入力のあった方の表示用データを取り出し、当該表示部にて表示されるキーボードに特殊キー表示させることを特徴としている。
【００２５】
請求項７に記載の発明によれば、表示部に入力画面を表示部させて、この入力画面にしたがって使用者にキーボードの所定のキーの特殊キー表示を行うのか、あるいは全部のキーを通常のキー表示とするのかを選択させることが可能になる。
【００２６】
請求項８に記載の発明は、前記特殊キー表示は、通常のキー表示とは異なった色で表示されるものであることを特徴としている。
請求項８に記載の発明によれば、特殊表示として、特定のキーを異なった色で表示させることで、使用者は表示部に表示されたキーボードのキー配列を把握することが容易になり、キーボードの操作性も向上する。
【００２７】
請求項９に記載の発明は、前記特殊キー表示は、通常のキー表示とは異なった形状で表示されるものであることを特徴としている。
請求項９に記載の発明によれば、特殊表示として、特定のキーを異なった形状で表示させることで、使用者は表示部に表示されたキーボードのキー配列を把握することが容易になり、キーボードの操作性も向上する。
【００２８】
請求項１０に記載の発明は、前記格納部は、通常のキー表示のための表示用データを格納するための第一格納部と、特殊キー表示のための表示用データを格納するための第二格納部とからなることを特徴としている。
請求項１０に記載の発明によれば、特殊キー表示のための表示用データと、通常のキー表示のための表示用データとを別々の格納部に格納しておくことで、各表示用データの管理が容易になる。例えば、特殊キー表示を変更したり、追加したりといった設計変更が容易になる。
【００２９】
【発明の実施の形態】
以下、本発明の実施形態を図１から図５を参照して説明する。
図１は本発明に係る画像形成装置の実施形態を示したものであり、画像記録装置１には、画像データを入力するための画像入力部２が、当該入力された画像データ（「入力画像データ」という）を画像処理するための画像処理部３および画像入力部２、画像処理部３、画像形成を行う記録部５の動作を制御する制御部４に接続されており、入力画像データが画像処理部３および制御部４に送られるようになっている。ここで、画像入力部２は、スキャナ、画像作成を行う所定のプログラムにしたがって動作するコンピュータシステムなど、入力画像データを生成して出力するものである。
【００３０】
画像処理部３は、入力画像データの画像に関する情報を取り出して、これに所定の画像処理を行って、画像形成を行う記録部５で扱う記録用画像データを生成するものである。生成された記録用画像データは、制御部４に送られるようになっている。
【００３１】
制御部４は、前記画像入力部２、前記画像処理部３、画像形成条件を表示するとともに条件の設定入力を行うための表示装置６、記録部５、後処理装置および外部装置に接続されている。制御部４では、画像入力部２に入力画像データを要求し、送られてくる入力画像データからプロセスに関する情報を取り出して、記録部５およびフィニッシャなどの図示しない後処理装置に送るようになっている。
【００３２】
制御部４では、画像入力部２により取り込まれ画像処理部３にて処理された画像データ、外部装置から送られた画像データを、他の外部装置に送るようになっている。また、制御部４では、表示装置６で設定された画像形成条件に関するデータを画像処理部３に送るようになっている。さらに、制御部４では、画像処理部３から送られてくる画像処理後の記録用画像データを記録部５に送るようになっている。また、制御部４は、後処理装置の動作も制御するようになっている。
【００３３】
記録部５では、画像処理部３から制御部４を通じて送られる記録用画像データを、制御部４から送られるプロセスに関する情報にしたがって画像形成するようになっている。
【００３４】
表示装置６は、本発明に係る表示装置の実施形態に相当するものであり、この表示装置６において、表示部７は表示制御部８に接続されており、表示制御部８から送られる所定の情報の入力を支援するためのキーボードが表示されるようになっている。
【００３５】
また、表示部７は、例えばタッチパネルのような表示および入力の両方を行うこともでき、キーボードにより入力される情報のほかに、ボタン操作で入力可能な設定内容、例えば画像形成条件に関する設定内容についてボタンなどを含む画面が表示され、使用者に設定入力を支援するようになっている。また、表示部７は、キーボードによる入力、ボタン操作による入力などの入力操作があったときには、その旨のデータを表示制御部８に送るようになっている。
【００３６】
また、格納部を構成する第一格納部９および第二格納部１０は、この表示部７で表示させるキーボードを構成するキーまたはボタンのための表示用データを格納する。
第一格納部９にて格納される表示用データとしては、前記キーボードを構成する各キーに関する通常のキー表示のための表示用データ、各画像形成条件に関する設定を支援する表示画面のための表示用データなどが含まれる。また、第二格納部１０にて格納される表示用データとしては、前記キーボードを構成する所定のキーに関する特殊キー表示のための表示用データが含まれる。また、ボタンのための表示用データは、第一格納部９または第二格納部１０のいずれに格納しておいても差し支えない。
【００３７】
このように、通常表示用のデータと特殊表示用のデータとを別々の格納部に格納することで、特殊表示用のデータの変更、追加を流動的に、かつ、容易に行うことができる。
【００３８】
図２は表示部７にて通常表示形式で表示されるキーボードの一例を示すものであり、画面１１には、入力内容を表示する入力窓１２と、特定のキーを特殊キー表示に切り替えるためのＭＡＲＫボタン１３、キャンセルボタン１４、ＯＫボタン１５、入力を支援するキーボードが表示されるキー入力部１６、入力されているデータについて表示するデータ種類表示窓１７、および入力窓１２の中の文字列についてのカーソル１９を左右にスクロールするためのスクロールボタン１８とが含まれている。
【００３９】
入力窓１２は、キー入力部１６にて入力された内容が表示される領域であって、図２では「ａｂｃ．ｂｍｂ＠ａａａ．ｃｏ．ｊｐ」と表示されており、スクロールボタン１８をクリックすることでカーソル１９が左右に移動されるようになっている。
【００４０】
ＭＡＲＫボタン１３は、全入力キーのうち、特定のキーを特殊表示キーに切り替える際にクリックされるものである。
キー入力部１６は、通常表示形式のキーが配列されたキーボードが構成されて表示される領域であり、通常のキーボードのように入力されたキーに対応する文字が入力窓１２に表示されるようになっている。
【００４１】
データ種類表示窓１７は、キー入力部１６にて入力され、入力窓１２にて表示されているデータ列がどのような情報であるのかを示す領域であって、図２では、「Ｅｎｔｅｒ  Ｅ−Ｍａｉｌ  ａｄｄｒｅｓｓ」と、例えば画像形成装置にて取り込んだ画像データを外部装置に送る場合の送信先を特定する電子メールアドレスを入力するよう促す表示となっている。
【００４２】
なお、全入力キーおよびボタンは、第一格納部９に格納された表示用データに基づいて描画されたものである。
【００４３】
図３は表示部７にて特殊表示形式で表示されるキーボードの一例を示すものであり、画面１１には、図２のキー入力部１６に変えて、特殊表示キー群２２を含むキーボードが表示される特殊表示キー入力部２３が含まれている。
【００４４】
特殊表示キー群２２は、特定の入力キーに形状が変更され、表示されたものであって、図３では、キー配列を把握する基準となる「ｆ」および「ｊ」のキーに枠が描かれた状態の特殊表示キー２０，２１が、通常表示形式の入力キーの「ｆ」と「ｊ」の位置に置き換えられている。
【００４５】
なお、特殊表示キー２０，２１は第二格納部１０に格納された表示用データに基づいて、およびその他の入力キーおよびボタンは第一格納部９に格納された表示用データに基づいて表示されたものである。
【００４６】
図４は表示部７にて特殊表示形式で表示されるキーボードの一例を示すものであり、画面１１には、図２のキー入力部１６に変えて、特殊表示キー群２９を含むキーボードが表示される特殊表示キー入力部３０が含まれている。
【００４７】
特殊表示キー群２９は、特定の入力キーに色彩が付され、表示されたものであって、図４では、使用頻度の高い母音を示す「ａ」，「ｅ」，「ｕ」，「ｉ」および「ｅ」のそれぞれを色彩が付された状態の特殊表示キー２４，２５，２６，２７，２８が、通常表示形式の入力キーの「ａ」，「ｅ」，「ｕ」，「ｉ」および「ｅ」の位置に置き換えられている。
【００４８】
なお、特殊表示キー２４，２５，２６，２７，２８は第二格納部１０に格納された表示用データに基づいて、およびその他の入力キーおよびボタンは第一格納部９に格納された表示用データに基づいて描画されたものである。
【００４９】
図３，図４にて、入力キーに枠を描いたり、色彩を付したりして、他の入力キーとは異ならせる例について説明したが、これに限定されることはなく、例えば特殊表示キーを他の入力キーよりも大きくしたり、丸くして形状を異ならせるなどして、他の入力キーと差別化しても差し支えないことはいうまでもない。
【００５０】
図１に戻り、表示制御部８は、制御部４、表示部７、第一格納部９および第二格納部１０に接続されており、キーボード画面、画像形成条件の設定画面などの使用者に設定入力を支援する画面を構成するための表示用データを、第一格納部９または第二格納部１０に要求して、取り出して、表示部７に送るようになっている。また、表示制御部８は、表示部７で入力されたデータが送られたときには、このデータを制御部４に送るようになっている。
【００５１】
次に、本実施形態の作用について説明する。
画像入力部２から送られる入力画像データは、画像処理部３および制御部４に送られて、画像処理部３では画像に関する情報が、制御部４ではプロセスに関する情報がそれぞれ取り出される。
【００５２】
一方で、表示装置６では、使用者によりボタン入力では入力できないデータを入力する旨操作があったときには、表示部７では、使用者にデータ入力を支援するための図２に示したような通常表示形式のキーボードが表示され、データ入力待ちの状態となる。
【００５３】
使用者が特定の入力キーを特殊表示させることを所望する場合には、図２の画面１１にあるＭＡＲＫボタン１３がクリックされる。すると、図３または図４に示したような特殊表示形式のキーボードに切り替わる。
【００５４】
ここで、このキーボードの描画について説明する。
図５はキーボードの描画動作について説明するフローチャートであり、まず、表示制御部８にて、描画が要求されているキーボードが、特定の入力キーの特殊表示を行うことが要求されているか否か、すなわち図２に示した画面１１上のＭＡＲＫボタン１３がクリックされた否かが判別される（ステップＳ１）。
【００５５】
この判別結果がＮＯ、すなわちＭＡＲＫボタン１３がクリックされていない場合には、これ以上の処理はせず、表示部７には図２に示したような通常表示形式のキーボードが構成されたままになる。
【００５６】
ステップＳ１での判別結果がＹＥＳ、すなわちＭＡＲＫボタン１３がクリックされた場合には、続いて表示制御部８にて、キーボードを構成する任意の入力キーについて、当該任意の入力キーが特殊表示をする特定の入力キーであるか否かが判別される（ステップＳ２）。
【００５７】
この判別結果がＮＯ、すなわち当該入力キーが特殊表示に係る入力キーではないときには、さらに表示制御部８により、当該入力キーについて第一格納部９より通常表示キーが読み出され（ステップＳ３）、描画される（ステップＳ５）。一方、判別結果がＹＥＳ、すなわち当該入力キーが特殊表示に係る入力キーであるときには、さらに表示制御部８により、当該入力キーについて第二格納部１０より特殊表示キーが読み出され（ステップＳ４）、描画される（ステップＳ５）。
【００５８】
入力キーの描画（ステップＳ５）後、表示制御部８にて、さらに未表示となっている入力キーがあるか否かが判別される（ステップＳ６）。この判別結果がＹＥＳ、すなわち未表示の入力キーがある場合には、続いて表示制御部８にて、さらに次の任意の入力キーについて、特定の入力キーであるかが判別され（ステップＳ２）、表示制御部８により、当該入力キーが第一格納部９あるいは第二格納部１０より読み出され（ステップＳ３またはＳ４）、描画される（ステップＳ５）。
【００５９】
ステップＳ６での判別結果がＮＯ、未表示の入力キーがない場合には、動作は終了して、表示部７には図３，図４に示したような特殊表示形式のキーボードが構成される。
【００６０】
使用者は、このようにして構成されたキーボードを操作して入力し、入力窓１２に表示された入力内容を確認ながら、必要に応じてスクロールボタン１８をクリックしてカーソル１９を移動させて編集する。
【００６１】
また、表示装置６の表示部７では、通常の画像形成条件の設定のための画面を表示させることもでき、使用者は、この画面の表示にしたがって画像形成条件の設定も行うことができる。また、設定された画像形成条件に関するデータは、制御部４に送られる。
【００６２】
制御部４は、前述した表示部７で表示されたキーボードにて入力された情報にしたがって、他の外部装置に送る画像データを特定するとともに、この画像データを指定された送信先に送る。
【００６３】
また、制御部４は、表示部７で設定入力され、表示制御部８から送られる画像形成条件に関するデータに基づいて、画像処理部３での画像処理を制御する。画像処理部３で処理されて得られた記録用画像データは、制御部４に送られ、さらにこの送られた記録用画像データは記録部５に送られる。
【００６４】
記録部５では、前記入力画像データに含まれ制御部４にて取り出された、または場合によっては表示装置６により設定されたプロセスに関する情報にしたがって、前記記録用画像データに基づいて所定の記録媒体に記録が行われる。
【００６５】
また、制御部４に接続された後処理装置は、制御部４により制御され、例えば記録後の記録媒体のステープル操作、パンチ孔開け操作、ソート操作などを行う。
【００６６】
以上より、本実施形態によれば、特定のキーを特殊表示したキーボードを表示させて入力支援を行うことで、キー配列の把握が容易になるため、キーボードの操作性も向上する。
【００６７】
また、第一格納部９または第二格納部１０のいずれかに、表示部７に表示させるキーボードを構成するＭＡＲＫボタン１３のための表示用データを格納して、表示制御部８による描画動作により、ＭＡＲＫボタン１３を付した通常キー表示を所望するか、あるいは特殊キー表示を所望するかの指定を促す画面とすることで、このボタンのクリック操作の有無で、特殊キー表示を行うか、または通常のキー表示を行うかの選択を使用者に行わせることができる。
【００６８】
また、特殊表示として、特定のキーを異なった色で表示させることで、使用者は表示部７に表示されたキーボードのキー配列を把握することが容易になり、キーボードの操作性も向上する。
【００６９】
あるいは、特殊表示として、特定のキーを異なった形状で表示させることでも、使用者は表示部７に表示されたキーボードのキー配列を把握することが容易になり、キーボードの操作性も向上する。
【００７０】
また、特殊キー表示のための表示用データを第二格納部１０に格納し、通常のキー表示のための表示用データを第一格納部９に格納して、別々に管理することで、各表示用データの管理が容易になる。例えば、特殊キー表示を変更したり、追加したりといった設計変更が容易になる。
【００７１】
【発明の効果】
請求項１に記載の発明によれば、操作表示部において、特定のキーを特殊表示したキーボードを表示させて入力支援を行うことで、キー配列の把握が容易になるため、キーボードの操作性も向上する。
【００７２】
請求項２に記載の発明によれば、操作表示部に、前記所定のキーについて、通常のキー表示を行うか、特殊キー表示を行うかの指定を促す入力画面を表示部させて、この入力画面にしたがって使用者にキーボードの所定のキーの特殊キー表示を行うのか、あるいは全部のキーを通常のキー表示とするのかを選択させることが可能になる。
【００７３】
請求項３に記載の発明によれば、特殊表示として、特定のキーを異なった色で表示させることで、使用者は操作表示部に表示されたキーボードのキー配列を把握することが容易になり、キーボードの操作性も向上する。
【００７４】
請求項４に記載の発明によれば、特殊表示として、特定のキーを異なった形状で表示させることで、使用者は操作表示部に表示されたキーボードのキー配列を把握することが容易になり、キーボードの操作性も向上する。
【００７５】
請求項５に記載の発明によれば、特殊キー表示のための表示用データと、通常のキー表示のための表示用データとを別々の格納部に格納しておくことで、各表示用データの管理が容易になる。例えば、特殊キー表示を変更したり、追加したりといった設計変更が容易になる。
【００７６】
請求項６に記載の発明によれば、表示部において、特定のキーを特殊表示したキーボードを表示させて入力支援を行うことで、キー配列の把握が容易になるため、キーボードの操作性も向上する。
【００７７】
請求項７に記載の発明によれば、表示部に、前記所定のキーについて、通常のキー表示を行うか、特殊キー表示を行うかの指定を促す入力画面を表示部させて、この入力画面にしたがって使用者にキーボードの所定のキーの特殊キー表示を行うのか、あるいは全部のキーを通常のキー表示とするのかを選択させることが可能になる。
【００７８】
請求項８に記載の発明によれば、特殊表示として、特定のキーを異なった色で表示させることで、使用者は表示部に表示されたキーボードのキー配列を把握することが容易になり、キーボードの操作性も向上する。
【００７９】
請求項９に記載の発明によれば、特殊表示として、特定のキーを異なった形状で表示させることで、使用者は表示部に表示されたキーボードのキー配列を把握することが容易になり、キーボードの操作性も向上する。
【００８０】
請求項１０に記載の発明によれば、特殊キー表示のための表示用データと、通常のキー表示のための表示用データとを別々の格納部に格納しておくことで、各表示用データの管理が容易になる。例えば、特殊キー表示を変更したり、追加したりといった設計変更が容易になる。
【図面の簡単な説明】
【図１】本発明に係る画像形成装置の実施形態を示すブロック図である。
【図２】前記実施形態において操作入力時に表示させるキーボード画面の一例を示す図である。
【図３】前記キーボード画面において特定のキーを特殊表示して示す一例を示す図である。
【図４】前記キーボード画面において特定のキーを特殊表示して示す他の一例を示す図である。
【図５】前記特殊表示に係る描画動作を説明するフローチャートである。
【符号の説明】
１  画像形成装置
２  画像入力部
３  画像処理部
４  制御部
５  記録部
６  表示装置
７  表示部
８  表示制御部
９  第一格納部
１０  第二格納部
【図１】
2004364214.tif 000003
【図２】
2004364214.tif 000004
【図３】
2004364214.tif 000005
【図４】
2004364214.tif 000006
【図５】
2004364214.tif 000007